(57)【要約】【課題】グループとして一括調整される複数チャンネルストリップのパラメータ設定状態を不都合なく個別チャンネルに展開して提示する。【解決手段】複数のチャンネルストリップ中の１つのチャンネルストリップに対して該複数のチャンネル中の１以上のチャンネルからなる１グループが割り当てられ、該１つのチャンネルストリップの操作に応じて、該グループに属する前記１以上のチャンネルにおいて音信号調整用パラメータを連動して制御する。展開制御部（１３）は、展開指示に応じて、グループに属する前記１以上のチャンネルにおける各調整用パラメータの値を提示するために、ディスプレイ装置（１２）及び複数のチャンネルストリップの一方を使用して前記１グループに属する前記１以上のチャンネルにおける各調整用パラメータの値を提示し、他方を使用して前記複数のチャンネルストリップの前記操作子の設定内容を提示する。【選択図】        図１
2018142930.tif 000002
【特許請求の範囲】
【請求項１】
音信号処理用の複数のチャンネルと、
複数のチャンネルストリップであって、各チャンネルストリップが音信号を制御するための操作子を備えるものと、
前記複数のチャンネルストリップ中の１つのチャンネルストリップに対して前記複数のチャンネル中の１以上のチャンネルからなる１グループを割り当てるグループ割り当て部であって、該１グループが割り当てられた前記１つのチャンネルストリップの前記操作子の操作に応じて、該１グループに属する前記１以上のチャンネルにおいて、それぞれの音信号の調整用パラメータが連動して制御されるようにするものと、
ディスプレイ装置と、
展開指示に応じて、前記１グループに属する前記１以上のチャンネルにおけるそれぞれの音信号の前記調整用パラメータの値を提示するための展開制御部であって、前記ディスプレイ装置及び前記複数のチャンネルストリップの一方を使用して前記１グループに属する前記１以上のチャンネルにおけるそれぞれの音信号の前記調整用パラメータの値を提示し、他方を使用して前記複数のチャンネルストリップの前記操作子の設定内容を提示する、前記展開制御部
を備える音制御装置。
【請求項２】
前記展開制御部は、前記展開指示に応じて、前記１グループに属する前記１以上のチャンネルにおけるそれぞれの音信号の調整用パラメータの値を前記ディスプレイ装置に表示させ、前記複数のチャンネルストリップの前記操作子の設定内容を維持する請求項１に記載の音制御装置。
【請求項３】
前記展開制御部は、前記展開指示に応じて、前記１グループに属する前記１以上のチャンネルにおけるそれぞれの音信号の調整用パラメータの値を、前記複数のチャンネルストリップ中の１以上のチャンネルストリップにそれぞれ設定し、少なくとも該複数のチャンネルストリップ中の該１以上のチャンネルストリップの前記操作子の設定内容を前記ディスプレイ装置に表示させる請求項１に記載の音制御装置。
【請求項４】
前記ディスプレイ装置及び前記複数のチャンネルストリップを使用して提示されている、前記１グループに属する前記１以上のチャンネルにおけるそれぞれの音信号の前記調整用パラメータの値と、前記複数のチャンネルストリップの前記操作子の設定内容とを、フリップ指示に応じて、前記ディスプレイ装置及び前記複数のチャンネルストリップの一方から他方に互いに入れ替えて提示する、フリップ処理部をさらに備える請求項１乃至３の何れかに記載の音制御装置。
【請求項５】
音信号処理用の複数のチャンネルと、
複数のチャンネルストリップであって、各チャンネルストリップが音信号を制御するための操作子を備えるものと、
前記複数のチャンネルストリップ中の１つのチャンネルストリップに対して前記複数のチャンネル中の１以上のチャンネルからなる１グループを割り当てるグループ割り当て部であって、該１グループが割り当てられた前記１つのチャンネルストリップの前記操作子の操作に応じて、該１グループに属する前記１以上のチャンネルにおいて、それぞれの音信号の調整用パラメータが連動して制御されるようにするものと、
ディスプレイ装置と
を備える音制御装置におけるパラメータ展開方法であって、
展開指示を受け付けることと、
前記展開指示に応じて、プロセッサにより、前記ディスプレイ装置及び前記複数のチャンネルストリップの一方を使用して前記１グループに属する前記１以上のチャンネルにおけるそれぞれの音信号の前記調整用パラメータの値を提示し、他方を使用して前記複数のチャンネルストリップの前記操作子の設定内容を提示する処理を行うこと
からなるパラメータ展開方法。
【発明の詳細な説明】
【技術分野】
【０００１】
この発明は、操作パネル上に設けられた１チャンネルストリップに１チャンネルグループを割り当て、該グループに属する複数チャンネルで処理する音信号の調整用パラメータを該チャンネルストリップ内の操作子によって一括して調整しうる音制御装置に関し、詳しくは、該チャンネルグループに属する各チャンネルの調整用パラメータの値を可視的に展開する技術の改良に関する。
【背景技術】
【０００２】
オーディオミキサ（以下単に「ミキサ」とも言う）は、大略、各チャンネルにおいて、入力された音信号の音特性調整処理を行い、処理後の音信号をバスに選択的に出力し、各バスにおいて、１又は複数のチャンネルから供給された音信号を混合して、混合結果を出力先に出力するように構成される。デジタルミキサは、専ら、デジタル音信号に対するデジタル信号処理により、チャンネル毎の音特性処理や音信号の経路設定処理などの各種信号処理を行う。ミキサのメモリには、それら信号処理に用いる全てのパラメータの値が記憶される。ミキサの操作パネル上に、フェーダ、エンコーダ及び各種ボタンなど複数の操作子を備えたチャンネルストリップを複数備え、各チャンネルストリップに対して、例えば１つのチャンネルなど任意の操作対象を割り当て、そのチャンネルストリップの操作子を用いて、該割り当てられた操作対象のパラメータの値を調整するように構成される。
【０００３】
また、従来、複数のチャンネルをグループ化し、そのチャンネルグループ（以下単に「グループ」とも言う）に属する各チャンネルを一括制御するグループ化機能が知られている（例えば、非特許文献１，２を参照）。例えば、１つのグループに属する各チャンネルについて、１つのグループ用フェーダ操作子で一括してレベルを調整したり、一括してミュートのオン／オフを行ったりすることができる（非特許文献１の第９２〜９８頁の第７章ＤＣＡグループ／ミュートグループ、非特許文献２の第１１３〜１２１頁の第１１章グルーピング／リンク）。さらに、非特許文献２の第１２０，１２１頁には、グループに属する複数のチャンネルの所望のパラメータを連動（リンク）させるチャンネルリンク機能が開示されている。
【０００４】
上述したように複数チャンネルを１つのグループにまとめて、そのグループに属する複数チャンネルを１つの操作子で操作するグループ化機能は便利であるが、その一方で、そのグループ内の複数のチャンネルを個別に操作したい場合もある。そこで、グループを構成する個々のチャンネルを、所定の操作でＣＨストリップへ展開できるデジタルミキサが知られている。展開先のＣＨストリップを柔軟に指定する工夫として、下記特許文献１は、操作パネル上の複数のＣＨストリップを複数のブロックに分け、そのうち１ブロックを展開先として指定する構成により、指定された１ブロックに属する複数チャンネルストリップに対して、グループを構成する複数チャンネルをそれぞれ展開することを開示している。
【０００５】
また、下記特許文献２は、複数のチャンネルストリップ中のチャンネルストリップ毎に、操作対象としてチャンネル又はグループを指定するか／若しくはそのチャンネルストリップを該グループに属する各チャンネルを個別に展開するための展開用チャンネルストリップに指定する操作対象指定情報を記憶しておき、該操作対象指定情報に基づいて前記複数のチャンネルストリップに対して操作対象を割り当てるようにし、その際、展開用チャンネルストリップに指定されたチャンネルストリップにはチャンネル及びグループの何れも割り当てずに展開用チャンネルストリップとして空き状態に設定しておき、或るグループの展開指示に応じて該展開用チャンネルストリップに対して該展開指示されたグループに属する各チャンネルを割り当てることを開示している。
【先行技術文献】
【特許文献】
【０００６】
【特許文献１】特開２０１１−０６６８６３号公報
【特許文献２】特開２０１６−１８１８３４号公報
【非特許文献】
【０００７】
【非特許文献１】「ＹＡＭＡＨＡ  ＤＩＧＩＴＡＬ  ＭＩＸＩＮＧ  ＣＯＮＳＯＬＥ  ＰＭ５Ｄ／ＰＭ５ＤＲＨ取扱説明書」、[ｏｎｌｉｎｅ]、ヤマハ株式会社、２００４年、［平成２７年３月１０日検索］、インターネット〈URL:http://www2.yamaha.co.jp/manual/pdf/pa/japan/mixers/cs1d_ja_om_r21.pdf?_ga=1.189649067.145683692.1426226024〉
【非特許文献２】「ＤＩＧＩＴＡＬ ＭＩＸＩＮＧ ＣＯＮＳＯＬＥ Ｍ７ＣＬ、取扱説明書」、[ｏｎｌｉｎｅ]、ヤマハ株式会社、２００５年、［平成２７年３月１０日検索］、インターネット〈URL: http://www2.yamaha.co.jp/manual/pdf/pa/japan/mixers/m7cl_ja_om_e0.pdf?_ga=1.261478797.145683692.1426226024〉
【発明の概要】
【発明が解決しようとする課題】
【０００８】
上記特許文献１、２に示されたような従来技術においては、いずれも、複数のチャンネルストリップのうち所定の１ブロック分のチャンネルストリップ又は指定された複数のチャンネルストリップが、展開用チャンネルストリップとして専用に設定される構成であるため、非展開時においては展開専用チャンネルストリップを空き状態にしておく必要があり、チャンネルストリップの利用効率が悪いという問題がある。よって、チャンネルストリップの総数が少ない小規模のミキサには適していない。なお、展開専用チャンネルストリップを設けることなく、展開指示に応じて任意のチャンネルストリップを展開用チャンネルストリップとして使い分けることも可能であるが、そうすると、展開指示直前における該任意のチャンネルストリップの調整状態が展開内容によって上書きされることで無効にされるので好ましくない。
【０００９】
この発明は、上述の点に鑑みてなされたもので、１グループとして一括調整される複数チャンネルストリップのパラメータ設定状態を個別チャンネルに展開してユーザに提示することを不都合なく行うことができる音制御装置及び方法を提供することを目的とする。
【課題を解決するための手段】
【００１０】
この発明は、音信号処理用の複数のチャンネルと、複数のチャンネルストリップであって、各チャンネルストリップが音信号を制御するための操作子を備えるものと、前記複数のチャンネルストリップ中の１つのチャンネルストリップに対して前記複数のチャンネル中の１以上のチャンネルからなる１グループを割り当てるグループ割り当て部であって、該１グループが割り当てられた前記１つのチャンネルストリップの前記操作子の操作に応じて、該１グループに属する前記１以上のチャンネルにおいて、それぞれの音信号の調整用パラメータが連動して制御されるようにするものと、ディスプレイ装置と、展開指示に応じて、前記１グループに属する前記１以上のチャンネルにおけるそれぞれの音信号の前記調整用パラメータの値を提示するための展開制御部であって、前記ディスプレイ装置及び前記複数のチャンネルストリップの一方を使用して前記１グループに属する前記１以上のチャンネルにおけるそれぞれの音信号の前記調整用パラメータの値を提示し、他方を使用して前記複数のチャンネルストリップの前記操作子の設定内容を提示する、前記展開制御部を備える音制御装置である。
【００１１】
この発明によれば、展開指示に応じて、前記ディスプレイ装置及び前記複数のチャンネルストリップの一方を使用して前記１グループに属する前記１以上のチャンネルにおけるそれぞれの音信号の前記調整用パラメータの値を提示し、他方を使用して前記複数のチャンネルストリップの前記操作子の設定内容を提示するので、展開専用のチャンネルストリップを用意する必要がないため、チャンネルストリップを無駄なく効率的に利用することができる。また、展開指示がなされたとき、それまで使用していたチャンネルストリップの設定内容が、そのまま維持されるか若しくはディスプレイ装置で表示されることにより、提示され続けるので、展開内容で上書きされて無効にされるようなことが起こらない。
【００１２】
また、この発明は、装置の発明として構成及び実施し得るのみならず、前記装置を構成する各構成要素に対応するステップを備える方法の発明として実施及び構成されてよい。
【発明の効果】
【００１３】
この発明によれば、展開専用のチャンネルストリップを用意する必要がないので、チャンネルストリップを無駄なく効率的に利用することができ、また、展開指示がなされたとき、それまで使用していたチャンネルストリップの設定内容が展開内容で上書きされて無効にされるようなことが起こらない、等の優れた効果を奏する。
【図面の簡単な説明】
【００１４】
【図１】この発明に係る音制御装置の構成例を示す概念的ブロック図。
【図２】図１の音制御装置を適用したオーディオミキサの電気的ハードウェア構成例を示すブロック図。
【図３】図２のミキシング部における信号処理構成例を説明するブロック図。
【図４】図２のオーディオミキサの操作パネル構成例を説明する図。
【図５】図２のＣＰＵが実行するグループ関連処理の一例を示す概略フローチャート。
【図６】図２のＣＰＵが実行する展開処理の一例を示す概略フローチャート。
【図７】展開指示に応じたディスプレイパネル画面上の表示例を示す図。
【図８】展開指示に応じたディスプレイパネル画面上の別の表示例を示す図。
【図９】図２のＣＰＵが実行するフリップ処理の一例を示す概略フローチャート。
【図１０】図２のＣＰＵが実行する展開処理の別の一例を示す概略フローチャート。
【図１１】図２のＣＰＵが実行する展開処理のさらに別の一例を示す概略フローチャート。
【発明を実施するための形態】
【００１５】
以下、添付図面を参照して、この発明の一実施形態について詳細に説明する。
【００１６】
図１は、この発明に係る音制御装置の構成例を説明する概念的ブロック図を示す。図１において、音制御装置１０は、音信号処理用の複数のチャンネルＣＨ１〜ＣＨｎと複数のチャンネルストリップＳＴＰ１〜ＳＴＰｋとを少なくとも備える。各チャンネルストリップＳＴＰ１〜ＳＴＰｋは、音信号を制御するための１以上の操作子ＯＰ１〜ＯＰｋを備える。これらの操作子ＯＰ１〜ＯＰｋは、オーディオミキサなどで知られた音量制御用フェーダあるいは回転ノブあるいはスイッチのような、ユーザ操作可能且つ電気的に自動制御可能な物理的操作子である。音制御装置１０が有する音信号処理用のチャンネルＣＨ１〜ＣＨｎの数（ｎ）はかなり多数であるが、これに比べて、チャンネルストリップＳＴＰ１〜ＳＴＰｋの数（ｋ）は少ない（例えば、ｎが１００以上であるのに対して、ｋは１０数個程度）。このため、チャンネルストリップＳＴＰ１〜ＳＴＰｋの各々に対して任意のチャンネルを割り当て、各チャンネルストリップＳＴＰ１〜ＳＴＰｋではそこに割り当てられたチャンネルで処理する音信号を処理するための音量その他のパラメータを、該ストリップＳＴＰ１〜ＳＴＰｋに設けられた操作子ＯＰ１〜ＯＰｋの操作に応じて設定・調整できるように構成されている。このように、限られた数からなる複数のチャンネルストリップＳＴＰ１〜ＳＴＰｋのうちの任意の１チャンネルストリップに対して任意の１チャンネルを割り当て、該１チャンネルにおける音信号の処理のための設定・調整操作を該１チャンネルストリップ内の操作子によって行うこと（便宜上、これを「個別チャンネル割り当て」機能という）は公知であるため、詳しい説明は省略する。
【００１７】
一方、チャンネルストリップに対するチャンネル割り当て機能の一種として、１つのチャンネルストリップに対して複数のチャンネルを割り当てる「グループ割り当て」機能も公知である。そのような「グループ割り当て」機能のために、音制御装置１０は、さらに、グループ割り当て部１１を備えている。グループ割り当て部１１は、前記複数のチャンネルストリップＳＴＰ１〜ＳＴＰｋ中の１つのチャンネルストリップに対して前記複数のチャンネル中の１以上のチャンネルからなる１グループを割り当て、該１グループが割り当てられた前記１つのチャンネルストリップ内の前記操作子の操作に応じて、該１グループに属する前記１以上のチャンネルにおいて、それぞれの音信号の調整用パラメータが連動して制御されるように、動作する。
【００１８】
そして、本発明によれば、このような「グループ割り当て」機能に関連して、さらに、ディスプレイ装置１２が設けられ、かつ、展開指示に応じて、前記１グループに属する前記１以上のチャンネルにおけるそれぞれの音信号の前記調整用パラメータの値を提示するための展開制御部１３が設けられる。展開制御部１３は、前記ディスプレイ装置１２及び前記複数のチャンネルストリップＳＴＰ１〜ＳＴＰｋの一方を使用して前記１グループに属する前記１以上のチャンネルにおけるそれぞれの音信号の前記調整用パラメータの値を提示し、他方を使用して前記複数のチャンネルストリップＳＴＰ１〜ＳＴＰｋの前記操作子ＯＰ１〜ＯＰｋの設定内容を提示する。これにより、１グループを指定した展開指示に応じて、該１グループに属する前記１以上のチャンネルにおけるそれぞれの音信号の調整用パラメータの値を、ディスプレイ装置１２に表示する、若しくは、前記複数のチャンネルストリップ中の１以上のチャンネルストリップにそれぞれ設定することで、該調整用パラメータをチャンネル別に展開して提示する。ユーザはこの提示を見て、該グループ内の複数チャンネルそれぞれの音信号の調整用パラメータの設定状態を確認することができる。したがって、展開専用のチャンネルストリップを用意する必要がないので、チャンネルストリップＳＴＰ１〜ＳＴＰｋを無駄なく効率的に利用することができる。また、展開指示がなされたとき、それまで使用していたチャンネルストリップＳＴＰ１〜ＳＴＰｋの設定内容が、そのまま維持されるか若しくはディスプレイ装置１２で表示されることにより、提示され続けるので、展開内容で上書きされて無効にされるようなことが起こらない。
【００１９】
前記展開指示に応じて、前記１グループに属する前記１以上のチャンネルにおけるそれぞれの音信号の調整用パラメータの値を前記ディスプレイ装置１２に表示し、前記複数のチャンネルストリップＳＴＰ１〜ＳＴＰｋの前記操作子ＯＰ１〜ＯＰｋの設定内容を維持する態様を、便宜上、第１展開モードということにする。また、前記展開指示に応じて、前記１グループに属する前記１以上のチャンネルにおけるそれぞれの音信号の調整用パラメータの値を、前記複数のチャンネルストリップＳＴＰ１〜ＳＴＰｋ中の１以上のチャンネルストリップにそれぞれ設定し、少なくとも該複数のチャンネルストリップＳＴＰ１〜ＳＴＰｋ中の該１以上のチャンネルストリップの前記操作子ＯＰ１〜ＯＰｋの設定内容を前記ディスプレイ装置１２に表示する態様を、便宜上、第２展開モードということにする。本発明に従う音制御装置１０は、この第１展開モードと第２展開モードの両方が実施可能である必要はなく、どちらか一方のみが実施可能であればよい。以下、説明する実施例では、上記第１展開モードのみを実施可能な構成について主に説明し、その変形例として、上記第２展開モードを選択的に実施可能な構成について説明する。なお、上記第２展開モードを実施可能な構成は、自動フリップ処理として説明される。
【００２０】
図１の音制御装置１０は、例えば、オーディオミキサ等の音信号を扱う音響機器に適用され得る。以下の一実施形態は、一例として、音制御装置１０をオーディオミキサ（以下単に「ミキサ」とも言う）に適用した例について説明する。ミキサ２０は、専らデジタル信号処理により音信号を処理するデジタルミキサとする。
【００２１】
図２は、ミキサ２０の電気的ハードウェア構成例を示すブロック図を示す。図２において、ミキサ２０は、ＣＰＵ（Central Processing Unit、中央処理装置）２１、メモリ２２、ミキシング部（図において「ＭＩＸ」）２３、チャンネルストリップパネル２４、ディスプレイパネル２５、及び外部通信インターフェース（Ｉ／Ｆ）２６等を含み、各部２１〜２６が内部通信バス２７を介して接続される。
【００２２】
ＣＰＵ２１は、メモリ２２に記憶された各種のプログラムを実行して、ミキサ２０を制御する。メモリ２２は、ＣＰＵ２１が実行する各種のプログラムや各種のデータなどを不揮発に格納するほか、ＣＰＵ２１が実行するプログラムのロード領域やワーク領域に使用される。メモリ２２は、リードオンリーメモリ、ランダムアクセスメモリ、フラッシュメモリあるいはハードディスク等の各種メモリ装置を適宜組み合わせて構成されてよい。また、メモリ２２は、ミキシング部２３による信号処理に用いる全てのパラメータの値を記憶する。
【００２３】
ミキシング部２３は、例えばＤＳＰ（Digital Signal Processor）や、ＣＰＵ２１およびメモリ２２に記憶されたソフトウェアにより仮想的に実現された信号処理装置で構成される。ミキシング部２３は、信号処理用のプログラムを実行することにより、図示しない入力機器から供給された１又は複数の音信号を処理して、該処理した音信号を、図示しない出力機器へ出力する。
【００２４】
図３は、ミキシング部２３における信号処理構成例を示すブロック図である。ミキシング部２３は、一例として、複数の入力チャンネルＣＨ１〜ＣＨｊからなる入力チャンネルブロック３０と、複数のミキシングバス４０を有する。各入力チャンネルＣＨ１〜ＣＨｊは、入力された音信号に対して音量調整を含む各種信号処理を施し、処理された音信号をユーザにより選択された１又は複数のミキシングバス４０に供給する。各ミキシングバス４０は、１以上の入力チャンネルＣＨ１〜ＣＨｊから供給された音信号を混合して、該混合された音信号を、該ミキシングバス４０に対応する出力チャンネル（不図示）を介して、出力する。ミキシング部２３における信号処理用のチャンネルＣＨ１〜ＣＨｎには、上述の入力チャンネルＣＨ１〜ＣＨｊ及び出力チャンネルの他にモニタチャンネルなどその他種々のタイプのチャンネルがあり得るが、詳細は省略する。ミキシング部２３における各チャンネルＣＨ１〜ＣＨｎの信号処理は、各チャンネルＣＨ１〜ＣＨｎに対応づけてメモリ２２内のカレントバッファに記憶されている各種のパラメータの値に基づいて制御される。各チャンネルＣＨ１〜ＣＨｎの該カレントバッファの内容は、チャンネルストリップパネル２４におけるユーザ操作に応じて更新され、さらには必要に応じてディスプレイパネル２５におけるユーザ操作に応じて更新され得る。
【００２５】
図２に戻り、ミキサ２０の操作パネルは、チャンネルストリップパネル２４及びディスプレイパネル２５により構成される。チャンネルストリップパネル２４は、前述の複数のチャンネルストリップＳＴＰ１〜ＳＴＰｋおよびその他操作子群並びにそれらに関連するインターフェース回路からなる。ディスプレイパネル２５は、前述のディスプレイ装置１２に相当し、一例として、タッチ入力操作可能なディスプレイパネルとそれに関連するインターフェース回路からなる。タッチ入力操作可能なディスプレイパネル２５は、具体的には、液晶ディスプレイ（ＬＣＤ）や有機ＥＬなどからなる表示機構と、ユーザ（操作者）の指等による画面への接触を検出する検出機構とを含む。検出機構は、接触位置を検出し、検出された位置に対応する検出信号をＣＰＵ２１へ出力する。検出機構は、一例として、画面に対する２点以上の接触（マルチタッチ）を個別に検出及び認識できるよう構成されてよい。この明細書では、タッチ式ディスプレイパネル２５への接触による入力操作を「タッチ」という。
【００２６】
図４は、ミキサ２０の操作パネルの構成例を示す。一例として、操作パネルの下部領域にチャンネルストリップパネル２４が配置され、上部領域にディスプレイパネル２５が配置される。チャンネルストリップパネル２４において、複数のチャンネルストリップＳＴＰ１〜ＳＴＰｋが横方向に並設されており、さらに、その他操作子群２８が設けられている。なお、本明細書において、「上下方向」とは、操作パネルの手前側（操作者の位置）から見た奥行き方向、すなわち、図４における上下方向を表す。
【００２７】
１つのチャンネルストリップＳＴＰ１は、一例として、音量調整用のフェーダ操作子５１、任意のパラメータを割当可能な多用途の回転ノブ操作子５２、ＣＵＥオン／オフを切り替えるＣＵＥキー５３、当該チャンネルのオン／オフを制御するオンオフキー５４、及び、当該チャンネルを選択する選択キー５５等を有する。他のチャンネルストリップＳＴＰ２〜ＳＴＰｋも同様に構成される。前述の「個別チャンネル割り当て」機能においては、各チャンネルストリップＳＴＰ１〜ＳＴＰｋに対して、それぞれの操作対象として１つのチャンネルが割り当てられる。一方、前述の「グループ割り当て」機能においては、或る１つのチャンネルストリップに対して複数のチャンネルからなる１グループが割り当てられる。操作者は、各チャンネルストリップＳＴＰ１〜ＳＴＰｋに備わる各種操作子を用いて、該割り当てられたチャンネル又はグループの音量等の各種パラメータの値を調整できる。
【００２８】
ディスプレイパネル２５においては、ＣＰＵ２１による制御に従って、処理の様々な段階に応じて種々の画像が表示されるようになっており、操作者によるタッチ操作の対象となる画像オブジェクトも適宜表示され得る。操作者は、ディスプレイパネル２５に表示された画像オブジェクトをタッチ操作することによっても、適宜チャンネル又はグループの音量等の各種パラメータの値を調整し得る。
【００２９】
ストリップセレクタ２９は、複数のチャンネルストリップＳＴＰ１〜ＳＴＰｋのいずれかを選択するための複数のストリップ選択スイッチＳＬ１〜ＳＬｋを、チャンネルストリップＳＴＰ１〜ＳＴＰｋの横方向の並びに対応付けて、横方向に配置してなるものである。図示のように、個々のストリップ選択スイッチＳＬ１〜ＳＬｋが個々のチャンネルストリップＳＴＰ１〜ＳＴＰｋの略真上に来るように配置されており、１つのチャンネルストリップの略真上に位置する１つのストリップ選択スイッチが該１つのチャンネルストリップに対応している。前記「グループ割り当て」機能に従って各チャンネルストリップＳＴＰ１〜ＳＴＰｋに個別のグループが割り当てられているときは、各ストリップ選択スイッチＳＬ１〜ＳＬｋは、それに対応するチャンネルストリップＳＴＰ１〜ＳＴＰｋに割り当てられているグループを選択して、該グループの所属メンバーである複数チャンネルに展開するよう指示する展開指示手段として機能する。一方、前記「個別チャンネル割り当て」機能に従って各チャンネルストリップＳＴＰ１〜ＳＴＰｋに個別のチャンネルが割り当てられているときは、各ストリップ選択スイッチＳＬ１〜ＳＬｋは、前記展開指示手段とは別の所定機能を担うようになっており、多目的に利用される。
【００３０】
一例として、チャンネルストリップパネル２４のチャンネルストリップＳＴＰ１〜ＳＴＰｋは、レイヤーで管理され、複数のレイヤーのいずれかが選択されると、該選択されたレイヤーの定義に従う組み合わせで、１組のチャンネルストリップＳＴＰ１〜ＳＴＰｋに対して、チャンネル若しくはグループが割り当てられる。例えば、ＤＣＡグループレイヤーが選択された場合、１組のチャンネルストリップＳＴＰ１〜ＳＴＰｋの各ストリップに対して、１２個のＤＣＡグループ１〜１２の各１が割り当てられる。その場合、ストリップセレクタ２９の各ストリップ選択スイッチＳＬ１〜ＳＬｋは、それに対応するチャンネルストリップＳＴＰ１〜ＳＴＰｋに割り当てられているグループ１〜１２を選択して展開指示する展開指示手段として機能する。なお、ＤＣＡは「Digital-Controlled Amplifier」の略であり、当該チャンネルの音信号の音量レベルをデジタル的に制御しうる増幅器であり、フェーダ操作子５１および／又はその他操作子若しくはスイッチの操作に応じて、その音量レベル調整用のパラメータ値が可変調整され得るものである。以下の実施例では、本発明が適用されるグループの一例として、主にＤＣＡグループについて説明するが、ＤＣＡグループに限らず、任意のタイプのグループに関して本発明を適用してよい。
【００３１】
ストリップセレクタ２９は、図示例では、ディスプレイパネル２５の画面上の所定の下部領域において、バーチャルな選択スイッチとして表示される。このようなバーチャルな選択スイッチからなる場合、ストリップセレクタ２９は、ディスプレイパネル２５の画面上の所定の下部領域に常時表示されている必要はなく、必要なときにのみ表示される（出現する）ようになっていればよい。別の例として、ストリップセレクタ２９は、ディスプレイパネル２５における所定の下部領域に表示されるバーチャルな選択スイッチではなく、ディスプレイパネル２５とは別の、物理的な選択スイッチ群からなっていてもよい。ストリップセレクタ２９が物理的な選択スイッチからなる場合は、該ストリップセレクタ２９は、チャンネルストリップＳＴＰ１〜ＳＴＰｋの上側に配置されていてもよいし、逆に、その下側に配置されていてもよい。さらに、グループを選択してそのメンバーチャンネル構成の展開指示を行うための手段は、操作者によって操作可能な物理的及び／又はバーチャルなセレクタ若しくはスイッチに限らず、シーケンス演奏情報あるいはシーンデータ等に含まれる電子データからなっていてもよい。
【００３２】
図５は、ＣＰＵ２１によって実行されるグループ割り当て機能に関連する処理の概略を示すフローチャートである。ＣＰＵ２１は、ステップＳ１において「グループ設定処理」を実行し、ステップＳ２において「グループ選択処理」を実行し、ステップＳ３において「一括調整処理」を実行する。これらのステップＳ１〜Ｓ３で実行される処理は、図１におけるグループ割り当て部１１によって実行される処理に相当する。ステップＳ１の「グループ設定処理」においては、操作者の所望により、各グループについて該グループのメンバー構成を設定し（該グループにどのチャンネルが所属するかを設定する）、設定した各グループのメンバー構成をメモリ２２内のグループ化テーブルに記憶する。この「グループ設定処理」のために、操作者は、チャンネルストリップパネル２４およびディスプレイパネル２５を適宜に使用し得る。なお、ステップＳ１の「グループ設定処理」を省略して、各グループのメンバー構成のデフォルト値を記憶したグループ化テーブルを使用してもよい。
【００３３】
ステップＳ２の「グループ選択処理」において、ＣＰＵ２１は、操作者によって前記ＤＣＡグループレイヤーが選択されたことを判定し、チャンネルストリップパネル２４の各チャンネルストリップＳＴＰ１〜ＳＴＰｋを、各グループ１〜１２のための一括調整用チャンネルストリップとしてそれぞれ割り当てる。各グループにどのチャンネルが所属しているのかは前記グループ化テーブルから判る。従って、該グループ化テーブル（又は前記ステップＳ１）とステップＳ２の「グループ選択処理」の組み合わせにより、複数のチャンネルストリップＳＴＰ１〜ＳＴＰｋ中の１つのチャンネルストリップに対して複数のチャンネルＣＨ１〜ＣＨｎ中の１以上のチャンネルからなる１グループを割り当てるための処理がなされることになる。なお、ステップＳ２の「グループ選択処理」は、操作者によるＤＣＡグループレイヤーの選択操作に限らず、シーンリコール情報に含まれるＤＣＡグループレイヤー選択データに基づき、あるいは外部通信Ｉ／Ｆ２６を介して外部から与えられるグループレイヤー選択データに基づき、ＤＣＡグループレイヤーが選択されたことを判定するようになっていてもよい。
【００３４】
ステップＳ３の「一括調整処理」において、ＣＰＵ２１は、各ＤＣＡグループのための一括調整用チャンネルストリップとして割り当てられた各チャンネルストリップＳＴＰ１〜ＳＴＰｋの前記フェーダ操作子５１および／又はその他操作子若しくはスイッチの操作を検出し、該フェーダ操作子５１および／又はその他操作子若しくはスイッチの操作に応じて、該グループに属する複数チャンネルにおいて、それぞれの音信号の調整用パラメータが連動して制御されるように処理する。具体的には、当該グループに所属する複数チャンネルの各々について、メモリ２２内の前記カレントバッファ内に記憶された当該チャンネルに関する所定タイプのパラメータ値（ＤＣＡグループの場合はフェーダ操作子５１により制御される音量パラメータ値）が、当該グループに係るチャンネルストリップの所定の操作子（ＤＣＡグループの場合はフェーダ操作子５１）の操作に応じて、それぞれ一括調整される。例えば、グループ１のメンバーとしてチャンネルＣＨ１，ＣＨ２，ＣＨ３，ＣＨ４が所属するようにＤＣＡグループ割り当てがなされている場合、操作者がグループ１用のチャンネルストリップＳＴＰ１の前記所定の操作子（ＤＣＡグループの場合はフェーダ操作子５１）を操作すると、このステップＳ３が実行され、該グループ１に所属する前記チャンネルＣＨ１，ＣＨ２，ＣＨ３，ＣＨ４の音信号調整用の所定タイプのパラメータ値（ＤＣＡグループの場合はフェーダ操作子５１により制御される音量パラメータ値）が連動して制御される。詳しくは、前記カレントバッファ内に記憶された各チャンネルの該所定タイプのパラメータ値（オリジナル値）は更新されることなく記憶保持され、当該グループに係るチャンネルストリップの前記所定の操作子の操作量に応じて、これら各チャンネルのパラメータ値を変更する演算（例えば前記操作量を係数とするリニア乗算又はデシベル加算）がそれぞれ行われ、その演算結果（変更値）が各チャンネルの音信号の音量パラメータとして出力され、該出力された音量パラメータ（変更値）によって各チャンネルの音信号が制御される。従って、グループ制御を解除した場合は、カレントバッファ内に記憶保持されている各チャンネルの前記パラメータ値（オリジナル値）を該各チャンネルの音信号の音量パラメータとして出力することにより、該グループに係るチャンネルストリップの前記所定の操作子の操作による影響を即座に除外しうる。なお、前記カレントバッファにおいては、各グループに係るチャンネルストリップの前記所定の操作子の現操作量を示す情報がそれぞれ記憶され、前記一括調整のための前記演算が該記憶した情報を使用して行われ得る。
【００３５】
図５のステップＳ４において、ＣＰＵ２１は「展開処理」を実行する。このステップＳ４で実行される「展開処理」は、図１における展開制御部１３によって実行される処理に相当し、一例として、前記第１展開モードで展開処理を行うものとする。すなわち、前記第１展開モードの場合、ステップＳ４において、ＣＰＵ２１は、操作者により展開指示がなされたことを検出し、この展開指示に応じて、前記１グループに属する前記１以上のチャンネル（メンバー）におけるそれぞれの音信号の調整用パラメータの値を、ディスプレイパネル２５の画面上に表示させる。
【００３６】
図６は、ステップＳ４で実行される「展開処理」の詳細例を示す。ステップＳ４１において、ＣＰＵ２１は、チャンネルストリップパネル２４のレイヤーとして、前記ＤＣＡグループレイヤーが選択されているかどうかを判定する。ＹＥＳであれば、次に、ステップＳ４２において、ＣＰＵ２１は、操作者によってストリップセレクタ２９のいずれかのストリップ選択スイッチＳＬ１〜ＳＬｋが操作されたかどうか、つまり、特定のＤＣＡグループ（チャンネルストリップ）を選択して展開指示がなされたかどうか、を判定する。ＹＥＳであれば、次に、ステップＳ４３において、ＣＰＵ２１は、展開指示されたＤＣＡグループに属するメンバー（複数チャンネル）それぞれの音信号の前記所定タイプのパラメータ値を、ディスプレイパネル２５の画面上に表示する（第１展開モード）。この表示は、前記グループ化テーブルと前記カレントバッファを参照することにより、遂行することができる。なお、ここで表示する各メンバーチャンネルの前記所定タイプのパラメータ値は、前記変更値であるとする。しかし、前記変更値に限らず、前記オリジナル値も併せて表示するようにしてもよい。あるいは、変形例として、前記変更値を表示することなく、前記オリジナル値と前記一括調整用の操作量を併せて表示するようにしてもよい。なお、ステップＳ４３の処理が行われるとき、チャンネルストリップパネル２４の各チャンネルストリップＳＴＰ１〜ＳＴＰｋの現設定内容は、展開内容によって上書きされることなく、そのまま維持される。
【００３７】
図７は、前記ステップＳ４３によって実行される表示例を示す。この例では、ストリップセレクタ２９のストリップ選択スイッチＳＬ１が操作されることでＤＣＡグループ１の展開が指示され、ＤＣＡグループ１のメンバーが４つのチャンネルＣＨ１，ＣＨ２，ＣＨ３，ＣＨ４からなっている。例えば、ストリップセレクタ２９のスイッチＳＬ１のインジケータが変化して、該スイッチＳＬ１がＯＮされたことを示している。また、ディスプレイパネル２５においては、該ＤＣＡグループ１のメンバーである４つのチャンネルＣＨ１，ＣＨ２，ＣＨ３，ＣＨ４のストリップイメージが横並びで表示され、各ストリップイメージ内にはフェーダ操作子５１のイメージＦ１〜Ｆ４が表示され、かつ、フェーダイメージＦ１〜Ｆ４の摘み位置がそれぞれの一括調整後の現パラメータ値（前記変更値）に対応する位置に来るように描画される。また、各ストリップイメージ内には、当該ＤＣＡグループの名前を示す表示Ｇ１とそれぞれのチャンネル名を示す表示ＣＨ１，ＣＨ２，ＣＨ３，ＣＨ４が表示され、各フェーダイメージＦ１〜Ｆ４によって示されたパラメータ値がどのチャンネルのものであるかを、ユーザに対して報知する。一例として、これらのグループ名表示Ｇ１とチャンネル名表示ＣＨ１，ＣＨ２，ＣＨ３，ＣＨ４がなされている枠内を、該ＤＣＡグループ１に固有の色で彩色してもよい。なお、図中で、符号Ｆ１’で例示的に描いたように、各メンバーチャンネルの前記オリジナル値を併せて表示してもよい。
【００３８】
図８は、前記ステップＳ４３によって実行される別の表示例を示す。この例では、ストリップセレクタ２９のストリップ選択スイッチＳＬ１，ＳＬ２，ＳＬ３，ＳＬ４が操作されることで複数のＤＣＡグループ１，２，３，４の展開が指示され、ＤＣＡグループ１（Ｇ１）のメンバーが４つのチャンネルＣＨ１，ＣＨ２，ＣＨ３，ＣＨ４からなり、ＤＣＡグループ２（Ｇ２）のメンバーが２つのチャンネルＣＨ５，ＣＨ６からなり、ＤＣＡグループ３（Ｇ３）のメンバーが３つのチャンネルＣＨ７，ＣＨ８，ＣＨ９，ＣＨ１０からなり、ＤＣＡグループ４（Ｇ４）のメンバーが２つのチャンネルＣＨ１１，ＣＨ１２からなっている。図７と同様に、図８においても、展開指示された各ＤＣＡグループのメンバーに対応するストリップイメージ内には、フェーダイメージがそれぞれの現パラメータ値を示すように表示され、また、ＤＣＡグループ名とそれぞれのチャンネル名が表示される。また、ＤＣＡグループ名とそれぞれのチャンネル名の表示がなされている枠内を、各ＤＣＡグループに固有の異なる色で彩色することで、一目でＤＣＡグループを見分け易くしてもよい。
【００３９】
ディスプレイパネル２５の画面上で同時に展開表示すべきチャンネル数が多くなった場合（例えば１３以上の場合）は、各ストリップイメージを適宜縮小して表示する、若しくは表示画面デザインを適宜変更すればよい。例えば、１３乃至２４個のチャンネルを同時に展開表示する場合は、図７又は図８に示したストリップイメージを縦方向に半分のサイズに縮小して、横方向に１２個のストリップイメージを２段で配置することにより、合計２４個のストリップイメージを表示してもよい。また、図７及び図８では、各チャンネルの現パラメータ値を摘み位置の変位で示しているが、これに限らず、適宜のインジケータ目盛り図形の変位で示してもよいし、あるいはデジタル数値で示してもよいし、その他どのような表示形態でもよい。
【００４０】
以上のようなステップＳ４３の処理に基づきＤＣＡグループメンバーの現パラメータ値をディスプレイ画面上で展開表示することにより、操作者は該ＤＣＡグループに所属する各チャンネルに設定されている現パラメータ値を速やかに目視で確認することができる。さらに、ディスプレイ画面上に展開表示された該ＤＣＡグループメンバーの各パラメータ値を、ディスプレイパネル２５に表示された操作子（フェーダイメージ）に対する操作者によるタッチ操作によって、チャンネル別に任意に調整／制御できるようにしてもよい。そのために、図６の例では、ステップＳ４３に続いてステップＳ４４が実行されるように構成されている。ステップＳ４４において、ＣＰＵ２１は、ディスプレイパネル２５に表示された各チャンネルのストリップイメージ内の操作子（フェーダイメージ）のいずれかに対して操作者によるタッチ操作がなされたか否かを判定し、タッチ操作がなされた場合、該タッチ操作された操作子（フェーダイメージ）に対応する該チャンネルのパラメータ値を該タッチ操作量に応じて個別に制御若しくは調整する。このタッチ操作に応じて、ディスプレイパネル２５の画面上に表示される該チャンネルの該操作子（フェーダイメージ）の操作位置が変化し、かつ、前記カレントバッファに記憶する該チャンネルの現パラメータ値が更新される。つまり、展開指示に応じてディスプレイパネル２５上に展開表示された該グループの各メンバーチャンネルのストリップイメージが、現パラメータ値を表示するように機能するのみならず、バーチャル操作子として実際のパラメータ可変調整手段としても機能する。
【００４１】
なお、ステップＳ４４は省略可能である。すなわち、展開処理におけるディスプレイパネル２５の機能として、ステップＳ４３における表示機能のみを担い、ステップＳ４４におけるパラメータ可変調整手段（バーチャル操作子）としての機能は担わないようにしてもよい。さらなる変形例として、ステップＳ４４は省略することなく、ただし、ステップＳ４４におけるパラメータ可変調整手段（バーチャル操作子）としての機能は、ディスプレイパネル２５に対するタッチ操作ではなく、適宜の物理的操作子によって実現されるようにしてもよい。すなわち、該適宜の物理的操作子の操作に応じて、ディスプレイパネル２５上に展開表示されているいずれかのチャンネルのパラメータ値が変化する（表示されるフェーダイメージの操作位置が変化する）ように構成してもよい。そのような適宜の物理的操作子として、例えば、チャンネルストリップパネル２４の各チャンネルストリップの最上部に配置された多用途の回転ノブ操作子５２を使用してもよい。すなわち、各チャンネルストリップの最上部に配置された多用途の回転ノブ操作子５２の１機能として、展開時においてディスプレイ上に展開表示された各チャンネルのパラメータ値を可変調整するための操作子としての機能をもたせてもよい。
【００４２】
以上のように展開指示に応じたＤＣＡグループのメンバーの現パラメータ値をディスプレイパネル２５上に展開表示し（Ｓ４３）、かつ、表示された操作子（フェーダイメージ）に対する操作を受け付け可能としている（Ｓ４４）とき、チャンネルストリップパネル２４のレイヤーはＤＣＡグループレイヤーが選択されたままになっている。従って、展開指示がなされたとき、それまで使用していたチャンネルストリップ２４の設定内容を展開内容で上書きして無効にするようなことが起こらず、ＤＣＡグループレイヤーからなるチャンネルストリップパネル２４の設定状態が維持される。こうして、ディスプレイパネル２５上で展開表示中のＤＣＡグループについて、チャンネルストリップパネル２４内の該ＤＣＡグループが割り当てられたチャンネルストリップで何らかの操作子が操作されると、図５の前記ステップＳ３の処理が実行され、該展開表示中のＤＣＡグループのメンバーである全チャンネルのパラメータ値が一括調整され、これに応じて、ディスプレイパネル２５上で展開表示中の該ＤＣＡグループに属する各チャンネルの操作子（フェーダイメージ）の操作位置が変化し、かつ、前記カレントバッファに記憶する該ＤＣＡグループに属する各チャンネルの現パラメータ値が更新される。これにより、操作者は、ディスプレイパネル２５上で展開表示中の該ＤＣＡグループに属する各チャンネルの現パラメータ値を目視確認しながら、それらパラメータ値を一括調整することができる。
【００４３】
次に、ディスプレイパネル２５上に展開表示されたＤＣＡグループの各メンバーチャンネルの現パラメータ値をチャンネルストリップパネル２４の対応するチャンネルストリップに反映させる「フリップ」処理について説明する。チャンネルストリップパネル２４及び／又はディスプレイパネル２５上に物理的な又はバーチャルな「フリップ」スイッチ（図示せず）が設けられる。図９は、該「フリップ」スイッチの操作に応じたフリップ処理の一例を示す。ステップＳ１１において、ディスプレイパネル２５の画面上で何らかのチャンネルストリップイメージが表示されているか否かを判定する。ＹＥＳであれば、ステップＳ１２に進み、ＣＰＵ２１は前記「フリップ」スイッチが操作されたかどうかを判定する。前記「フリップ」スイッチが操作された場合は、ステップＳ１３に進み、ＣＰＵ２１は、チャンネルストリップＳＴＰ１〜ＳＴＰｋの設定内容とディスプレイパネル２５の表示内容とを入れ替える処理を実行する。つまり、チャンネルストリップＳＴＰ１〜ＳＴＰｋに現れているＤＣＡレイヤーの設定内容がそっくりディスプレイパネル２５の画面上でストリップイメージとして表示されると共に、ディスプレイパネル２５の画面上に展開表示されていたＤＣＡグループの各メンバーチャンネルの現パラメータ値（前記変更値）がチャンネルストリップパネル２４における各対応するチャンネルストリップＳＴＰ１〜ＳＴＰｋに設定される。つまり、１以上のＤＣＡグループを個別チャンネルに展開したものが１レイヤーとしてチャンネルストリップＳＴＰ１〜ＳＴＰｋに割り当てられる。この場合、チャンネルストリップＳＴＰ１〜ＳＴＰｋのフェーダ操作子５１等各操作子及びスイッチは、電動制御されて、前記展開表示された現パラメータ値（前記変更値）に対応する操作位置を提示するように自動的に動かされる。このように「フリップ」操作を行った場合、展開表示されたＤＣＡグループの各メンバーチャンネルの現パラメータ値（前記変更値）をそれぞれに対応するチャンネルストリップＳＴＰ１〜ＳＴＰｋの操作によって個別に適宜変更・調整することができる。このように、展開状態において物理的なチャンネルストリップＳＴＰ１〜ＳＴＰｋを使用してメンバーチャンネル毎の個別のパラメータ調整を行うことは、操作者が操作し易い環境を提供し得る。例えば、ディスプレイパネル２５が小型の場合は、それよりも大型のチャンネルストリップパネル２４を使用できるので、操作者が操作し易い環境を提供し得ることになる。あるいは、表示機能のみを持ち、タッチ検出機能を持たないディスプレイパネル２５を使用する場合は、展開したメンバーチャンネル毎の個別のパラメータ調整をチャンネルストリップパネル２４を使用して行えるので、その点でも、該フリップ操作は有利である。なお、チャンネルストリップパネル２４を使用して行ったメンバーチャンネル毎の前記所定タイプのパラメータの個別の調整量は、前記カレントバッファに記憶されている当該チャンネルの該所定タイプのパラメータ値（前記オリジナル値）に反映され得る。すなわち、該個別調整に応じて前記カレントバッファにおける前記オリジナル値の記憶が更新されるようになっていてもよい。
【００４４】
なお、上記「フリップ」操作によってＤＣＡグループの各メンバーチャンネルの現パラメータ値（前記変更値）がチャンネルストリップパネル２４に展開されるようになった状態で、再度「フリップ」スイッチを操作すると、図９のステップＳ１２がＹＥＳと判定され、ステップＳ１３の処理が実行される。したがって、チャンネルストリップＳＴＰ１〜ＳＴＰｋの設定内容とディスプレイパネル２５の表示内容とを再び入れ替える（つまり、グループ展開状態をディスプレイに戻して表示し、ＤＣＡグループレイヤーをチャンネルストリップパネル２４に戻す）ことができる。
【００４５】
ＣＰＵ２１が図９のフリップ処理を実行するとき、該ＣＰＵ２１は、前記ディスプレイ装置１２（ディスプレイパネル２５）及び前記複数のチャンネルストリップＳＴＰ１〜ＳＴＰｋを使用して提示されている、前記１グループに属する前記１以上のチャンネルにおけるそれぞれの音信号の前記調整用パラメータの値と、前記複数のチャンネルストリップＳＴＰ１〜ＳＴＰｋの前記操作子（５１）の設定内容とを、フリップ指示に応じて、前記ディスプレイ装置１２（ディスプレイパネル２５）及び前記複数のチャンネルストリップＳＴＰ１〜ＳＴＰｋの一方から他方に互いに入れ替えて提示する、フリップ処理部として機能する。
【００４６】
図１０は、図６に示した展開処理の変形例を示し、展開指示がなされたときに自動的に「フリップ」処理を行うようにしたものである。図６と同じ参照番号が付されたステップでは同一処理が行われるので、重複説明を省略する。この自動「フリップ」処理は、展開指示されたＤＣＡグループの各メンバーチャンネルの現パラメータ値（前記変更値）をディスプレイパネル２５上に展開表示することなく、該ＤＣＡグループの各メンバーチャンネルの現パラメータ値（前記変更値）をチャンネルストリップパネル２４の対応するチャンネルストリップＳＴＰ１〜ＳＴＰｋに即座に展開し、その代わりに、直前までチャンネルストリップＳＴＰ１〜ＳＴＰｋに現れていたＤＣＡレイヤーの設定内容をそっくりディスプレイパネル２５の画面上でストリップイメージとして表示することからなり、前記第２展開モードに相当する。この自動「フリップ」処理は、操作者によって若しくはデフォルトとして、自動「フリップ」モードに予め設定されることにより、実行される。
【００４７】
図１０において、ステップＳ４２とＳ４３の間にステップＳ４５が挿入されている。ステップＳ４５において、ＣＰＵ２１は前記自動「フリップ」モード（第２展開モード）に予め設定されるかどうかを判定する。自動「フリップ」モードに設定されていない場合は、ステップＳ４５のＮＯから前記ステップＳ４３に進み、前述した第１展開モードに従う展開処理が行われ、自動「フリップ」処理（第２展開モード）は行われない。自動「フリップ」モードに設定されている場合は、ステップＳ４５のＹＥＳからステップＳ４６に進み、第２展開モードによる展開処理が行われる。ステップＳ４６において、ＣＰＵ２１は、チャンネルストリップパネル２４の各チャンネルストリップＳＴＰ１〜ＳＴＰｋの設定内容を示すストリップイメージをディスプレイパネル２５の画面上に表示すると共に、展開指示されたＤＣＡグループ内の各メンバーチャンネルの現パラメータ値（前記変更値）を、チャンネルストリップパネル２４の各対応するチャンネルストリップＳＴＰ１〜ＳＴＰｋに設定する（展開する）。この場合も、チャンネルストリップＳＴＰ１〜ＳＴＰｋのフェーダ操作子５１等各操作子及びスイッチは、電動制御されて、展開された現パラメータ値（前記変更値）に対応する操作位置を提示するように自動的に動かされる。ステップＳ４６の後、ステップＳ４４に進む。なお、この変形例においても、前述と同様にステップＳ４４は省略され得る。このように、自動「フリップ」処理を行った場合も、展開されたＤＣＡグループの各メンバーチャンネルの現パラメータ値（前記変更値）をそれぞれに対応するチャンネルストリップＳＴＰ１〜ＳＴＰｋの操作によって個別に適宜変更・調整することができる。また、展開指示直前のチャンネルストリップパネル２４におけるＤＣＡレイヤーの各ストリップの設定状態は、ディスプレイパネル２５上で表示されるストリップイメージとして維持されるので、展開指示直前まで使用されていたチャンネルストリップＳＴＰ１〜ＳＴＰｋの設定内容を展開内容で上書きして無効にするようなことが起こらない。
【００４８】
なお、図１０の前記ステップＳ４６で行われる上記自動「フリップ」処理によってＤＣＡグループの各メンバーチャンネルの現パラメータ値がチャンネルストリップパネル２４に展開されるようになった状態で、前記「フリップ」スイッチを操作することにより、図９の前記ステップＳ１３が実行され得る。これにより、チャンネルストリップＳＴＰ１〜ＳＴＰｋの設定内容とディスプレイパネル２５の表示内容とを入れ替える（つまり、グループ展開状態をディスプレイに表示し、ＤＣＡグループレイヤーをチャンネルストリップパネル２４に戻す）ことができる。
【００４９】
図１０の例では、自動「フリップ」処理のオン／オフによって前記第１展開モードと第２展開モードを選択的に実行できる構成である。しかし、これに限らず、自動「フリップ」処理つまり第２展開モードのみを実行するように構成してもよい。そのためには、例えば、図１１に示すように、図１０におけるステップＳ４５とＳ４３を削除し、ステップＳ４２のＹＥＳとステップＳ４４との間にステップＳ４６が挿入されるように変更すればよい。
【００５０】
本発明は、ＤＣＡグループに限らず、その他任意のタイプのグループとそのマスターという関係性に対して適用し得る。例えば、ミュートグループにおけるグループマスターとメンバーとの関係、チャンネルリンクグループにおけるグループマスターとメンバーとの関係、ミキシングバスに入力する複数のチャンネルとバスマスターとの関係、サラウンドチャンネルグループにおけるマスターとメンバーとの関係など、グループ内のメンバーチャンネルのパラメータをマスター操作子で連動制御しうるような、任意のグループに関連して本発明を適用し得る。ミュートグループとは、グループ化した複数チャンネルのミュートのオン・オフを一括制御／調整する態様からなる。チャンネルリンクグループとは、グループ化した複数チャンネルの音量以外の任意のパラメータ値を一括制御／調整する態様からなる。複数のチャンネルとバスマスターとの関係とは、グループ化した複数チャンネルの各チャンネルからミキシングバスに対するセンドレベルをバスマスターによって一括制御／調整する態様からなる。サラウンドチャンネルグループとは、５．１チャンネルサラウンドのようなサラウンド効果のためにグループ化した複数チャンネルの音量レベルを一括制御／調整する態様からなる。
【００５１】
上記実施例において、ディスプレイ装置１２（ディスプレイパネル２５）は、音制御装置１０（ミキサ２０）の操作パネルに予め設けられているが、これに限らず、外部機器として、音制御装置１０（ミキサ２０）と有線又は無線（赤外線通信を含む）で通信可能に設けられてもよい。
【００５２】
上記実施例において、ミキサ２０は、ミキサ専用機として構成されたものに限らず、汎用のパーソナルコンピュータなど、音信号のミキシング処理動作を行うためのプログラムを実装したコンピュータ装置により構成されてもよい。
【００５３】
また、本発明に係る音制御装置１０は、ミキサ２０に限らず、レコーダ、プロセッサなど、どのような音信号処理装置に適用されてもよい。また、音制御装置１０は、汎用のパーソナルコンピュータ上で実行されるＤＡＷ（デジタル・オーディオ・ワークステーション）ソフトウェアアプリケーションに適用され得る。また、音制御装置１０は、上記実施例で説明した諸機能を実行するように構成された専用ハードウェア装置（集積回路等）からなっていてもよい。
【００５４】
また、この発明は、音信号処理用の複数のチャンネルと、複数のチャンネルストリップであって、各チャンネルストリップが音信号を制御するための操作子を備えるものと、前記複数のチャンネルストリップ中の１つのチャンネルストリップに対して前記複数のチャンネル中の１以上のチャンネルからなる１グループを割り当てるグループ割り当て部であって、該１グループが割り当てられた前記１つのチャンネルストリップの前記操作子の操作に応じて、該１グループに属する前記１以上のチャンネルにおいて、それぞれの音信号の調整用パラメータが連動して制御されるようにするものと、ディスプレイ装置とを備える音制御装置におけるパラメータ展開方法であって、展開指示を受け付けること、前記展開指示に応じて、プロセッサにより、前記ディスプレイ装置及び前記複数のチャンネルストリップの一方を使用して前記１グループに属する前記１以上のチャンネルにおけるそれぞれの音信号の前記調整用パラメータの値を提示し、他方を使用して前記複数のチャンネルストリップの前記操作子の設定内容を提示する処理を行うことからなるパラメータ展開方法の発明として、構成及び実施されてもよい。また、前記方法を構成する各ステップを、コンピュータに実行させるプログラムの発明として、構成及び実施されてもよい。
【００５５】
以上、この発明の一実施形態を説明したが、この発明は上記各種の実施形態に限定されるものではなく、特許請求の範囲、及び明細書と図面に記載された技術的思想の範囲内において種々の変形が可能である。
【符号の説明】
【００５６】
１０  音制御装置、１１  グループ割り当て部、１２  ディスプレイ装置、１３  展開制御部、ＣＨ１〜ＣＨｎ  チャンネル、ＳＴＰ１〜ＳＴＰｋ  チャンネルストリップ、２０  ミキサ、２１  ＣＰＵ、２２  メモリ、２３  ミキシング部、２４  チャンネルストリップパネル、２５  ディスプレイパネル、２６  外部通信インターフェース。
【図１】
2018142930.tif 000003
【図２】
2018142930.tif 000004
【図３】
2018142930.tif 000005
【図４】
2018142930.tif 000006
【図５】
2018142930.tif 000007
【図６】
2018142930.tif 000008
【図７】
2018142930.tif 000009
【図８】
2018142930.tif 000010
【図９】
2018142930.tif 000011
【図１０】
2018142930.tif 000012
【図１１】
2018142930.tif 000013